(57)【要約】【課題】信号線が負荷配線の邪魔にならず、コネクタの接続作業も容易な電流測定機能を備えたブレーカ及びこのブレーカを用いた分電盤を提供する。【解決手段】主幹バー４が接続されるプラグイン端子１２を筐体１０の前面に備えたブレーカであって、筐体１０の内部に電流測定部１３を備え、その信号を出力するコネクタ２１を、筐体１０の底面から突出した位置に前向きに配置した。主幹バー４へのプラグイン動作によりコネクタ２１をコネクタ接続部２６に接続することができる。なお分電盤の機器取付板２２にコネクタ２１を通過させる開口部２５を形成し、コネクタ接続部２６を機器取付板２２の下側に設けることが好ましい。【選択図】図３
2014026729.tif 000002
【特許請求の範囲】
【請求項１】
積層された主幹バーが挿入される溝部と、主幹バーが接続されるプラグイン端子とを筐体の前面に備えたブレーカであって、
筐体の内部に電流測定部を備え、該電流測定部からの信号を出力するコネクタを、筐体底面から突出した位置に配置したことを特徴とする電流測定機能を備えたブレーカ。
【請求項２】
前記コネクタを、筐体の底面と平行に配置したことを特徴とする請求項１記載の電流測定機能を備えたブレーカ。
【請求項３】
前記コネクタを、筐体の前面に向けて配置したことを特徴とする請求項２記載の電流測定機能を備えたブレーカ。
【請求項４】
積層された主幹バーに、請求項３に記載の電流測定機能を備えたブレーカを接続した分電盤であって、
主幹バーへのプラグイン動作によりコネクタが接続される位置に、コネクタ接続部を設けたことを特徴とする分電盤。
【請求項５】
ブレーカの筐体が取り付けられる機器取付板にコネクタを通過させる開口部を形成し、前記コネクタ接続部を該機器取付板の下側に設けたことを特徴とする請求項４に記載の分電盤。
【発明の詳細な説明】
【技術分野】
【０００１】
本発明は、負荷に流れる電流を測定する機能を備えたブレーカ及びこのブレーカを用いた分電盤に関するものである。
【背景技術】
【０００２】
分電盤に組み込まれるブレーカには、各種の負荷が接続されるが、電力使用量を合理的に管理するために、各ブレーカに接続された負荷に流れる電流を測定したい場合がある。そのために例えば特許文献１に示されるように、端子部の電路にＣＴを組み込むとともに、その信号線をブレーカの筐体の負荷側に設けたコネクタから引き出した構造が提案されている。
【０００３】
しかしこのような構造のものは、負荷側に負荷配線や信号線が輻輳して邪魔であるという問題があり、また、各々のブレーカにコネクタを接続しなければならず、分電盤の組み立て作業性が悪いという問題があった。
【先行技術文献】
【特許文献】
【０００４】
【特許文献１】特開２００８−２８８１００号公報
【発明の概要】
【発明が解決しようとする課題】
【０００５】
従って本発明の目的は上記した従来の問題点を解決し、各ブレーカを通じて負荷に流れる電流を測定することができ、しかも信号線が負荷配線の邪魔にならず、コネクタの接続作業も容易な電流測定機能を備えたブレーカ及びこのブレーカを用いた分電盤を提供することである。
【課題を解決するための手段】
【０００６】
上記の課題を解決するためになされた本発明の電流測定機能を備えたブレーカは、積層された主幹バーが挿入される溝部と、主幹バーが接続されるプラグイン端子とを筐体の前面に備えたブレーカであって、筐体の内部に電流測定部を備え、該電流測定部からの信号を出力するコネクタを、筐体底面から突出した位置に配置したことを特徴とするものである。
【０００７】
なお請求項２のように、前記コネクタを、筐体の底面と平行に配置することができる。また請求項３のように、前記コネクタを、筐体の前面に向けて配置することができる。
【０００８】
また本発明の分電盤は、積層された主幹バーに、請求項３に記載の電流測定機能を備えたブレーカを接続した分電盤であって、主幹バーへのプラグイン動作によりコネクタが接続される位置に、コネクタ接続部を設けたことを特徴とするものである。
【０００９】
なお請求項５のように、ブレーカの筐体が取り付けられる機器取付板にコネクタを通過させる開口部を形成し、前記コネクタ接続部を該機器取付板の下側に設けた構造とすることができる。
【発明の効果】
【００１０】
請求項１のブレーカは、電流測定部からの信号を出力するコネクタを、筐体底面から突出した位置に配置したので、コネクタや信号線がブレーカの底面よりも下側に位置し、負荷配線の邪魔にならず、コネクタの接続作業も容易である。
【００１１】
請求項２のブレーカは、コネクタをブレーカの筐体の底面と平行に配置したので、コネクタ接続部を筐体の底面と平行に配置することができ、構造が簡単であり、コネクタ接続の作業性もよい。
【００１２】
請求項３のブレーカは、コネクタをブレーカの筐体の前面に向けて配置したので、構造が簡単であることに加えて、ブレーカ取付方向とコネクタ接続方向が同方向となり、コネクタ接続作業が容易になる。
【００１３】
請求項４の分電盤は、主幹バーへのプラグイン動作によりコネクタが接続される位置にコネクタ接続部を設けたので、ブレーカを電源バーに装着する動作だけでコネクタの接続を行なうことができ、作業性がよい。
【００１４】
請求項５の分電盤は、構成が簡単であるうえ、コネクタや信号線が機器取付板の下側に位置するので負荷配線の邪魔にならず、コネクタの接続作業も容易である。
【図面の簡単な説明】
【００１５】
【図１】本発明の実施形態の分電盤の全体図である。
【図２】コネクタ接続前の斜視図である。
【図３】コネクタ接続前の断面図である。
【図４】電流測定部の分解斜視図である。
【図５】コネクタ接続後の斜視図である。
【図６】コネクタ接続後の断面図である。
【図７】コネクタ接続後の部分拡大斜視図である。
【図８】コネクタ接続前の部分拡大斜視図である。
【図９】コネクタを電線で接続した実施形態を示す断面図である。
【図１０】コネクタを電線で接続した他の実施形態を示す断面図である。
【発明を実施するための形態】
【００１６】
以下に本発明の実施形態を説明する。
図１は本発明の実施形態の分電盤の全体図である。１は主幹ブレーカであり、その二次側には３相の主幹バー（図１では保護板２に隠れて図示されていない）が、所定間隔で積層配置されている。この主幹バーの両側から本多数の分岐ブレーカ３がプラグイン接続されている。これらの分岐ブレーカ３が本発明の「電流測定機能を備えたブレーカ」であり、以下にその構造を詳細に説明する。
【００１７】
図２、図３に示すように、ブレーカの筐体１０の前面には、従来のプラグイン型ブレーカと同様に、主幹バー４が挿入される溝部１１と、主幹バー４が接続されるプラグイン端子１２とが設けられている。
【００１８】
ブレーカの筐体１０の内部には、電流測定部１３が設けられている。電流測定部１３は図４に示すように、基板１４の一端から一対の腕部１５を突出させてその内側を端部が開放された配線挿通部１６とするとともに、これらの一対の腕部１５にホール素子等の磁気検出素子１７を搭載したもので、その全体は馬蹄型の保護ケース１８に収納されている。この電流測定部１３はブレーカの開閉機構部の側方に設けられ、この実施形態では負荷側端子１９への電路が配線挿通部１６の内部を通るように配置されている。
【００１９】
このため、ブレーカの電路に電流が流れると電流値に応じた磁界が発生し、磁気検出素子１７には磁界に応じた起電力が生じる。各磁気検出素子１７から出力された起電力は集積回路２０において合成・増幅され、電流値を示す信号としてコネクタ２１を通じて外部に出力される。
【００２０】
本発明では、このコネクタ２１は筐体１０の底面から下方に突出した位置に配置されている。また、コネクタ２１は筐体１０の前面に向けて、すなわち主幹バー４の方向に向けて配置されている。この実施形態ではコネクタ２１は電流測定部１３と一体に形成されている。
【００２１】
また、ブレーカの下側には鋼材からなる機器取付板２２が設けられており、筐体１０の後側の取付部材２３が係合される取付孔２４が形成されている。この取付孔２４の前側にコネクタ２１が入る開口部２５を設け、この開口部２５に電流測定部１３の先端部及びコネクタ２１を通過させている。
【００２２】
一方、機器取付板２２には図２、図３に示すように、コネクタ２１の前側位置にコネクタ接続部２６が後向きに設けられている。このコネクタ接続部２６には電源線と信号線とが配線されており、図５、図６に示すようにコネクタ２１と接続されたとき、各電流測定部１３に作動用の電源を供給するとともに、電流信号を取り出す。なおコネクタ接続部２６はブレーカと同数設けられているので、各コネクタ接続部２６、２６間はいわゆる渡り配線とすることが好ましい。この渡り配線は機器取付板２２の下側に位置することとなるので美観に優れ、またブレーカの負荷配線の邪魔になることもない。
【００２３】
従来と同様、主幹バー４に対してブレーカをスライドさせてプラグイン端子１２を主幹バー４に接続するが、上記のようにコネクタ接続部２６を配置しておけば、主幹バー４へのプラグイン動作により図５、図６に示すようにコネクタ２１がコネクタ接続部２６に接続される。よって主幹バー４に対するプラグイン端子１２の接続と、コネクタ接続部２６に対するコネクタ２１の接続とを一度に行うことができ、作業性が向上する。なお、図７と図８に要部の拡大図を示す。図７はコネクタ２１の接続状態、図８は接続前の状態である。
【００２４】
図９と図１０に示す実施形態では、電流測定部１３とコネクタ２１との接続は電線２７によって行われている。この構造ではブレーカ内部の電路に対する電流測定部１３の位置を固定し易いので電流測定精度を高めることができる。なおコネクタ２１の形状は特に限定されるものではなく、プラグ端子状とすることもできる。なお、この実施形態も前記実施形態と同様にコネクタ２１は筐体１０の底面から下方に突出した位置に固定されているので、主幹バー４へのプラグイン動作によりコネクタ２１がコネクタ接続部２６に接続されるものである。また、電線２７によって接続する場合には、筐体１０の開口部をコーティングによりシールしておくことが好ましい。
【００２５】
図９に示すように、電流測定部１３はブレーカの開閉機構部よりも負荷側に設置されているが、図１０に示すようにブレーカの開閉機構部よりも電源側に配置することもできる。
【００２６】
また、コネクタ接続部２６をコネクタ２１の後側に設け、コネクタ接続部２６を備えた基板を前側にスライドさせて接続することもできる。なお、コネクタ２１は信号線とともに電源線とを備え、接続される図示しない中央制御機器が信号の制御と電源の供給も行っており、電源が各々のブレーカになくてもよいので好ましいが、電流測定部１３に電源回路を付加させて各々のブレーカ内で電源を得ることもできる。
【００２７】
以上に説明したように、本発明によれば、各ブレーカを通じて負荷に流れる電流を個別に測定することができるうえ、信号線や電源線が負荷配線の邪魔にならず、コネクタ２１の接続作業も容易に行える等の利点がある。また、実施形態のような端部が開放された配線挿通部１６を持つ電流測定部１３を用いれば、ＣＴのように内部に電路を貫通させる必要がなく、既設の電路に被せるように装着できるため、既設のブレーカにも電流測定機能を持たせることが容易である。
【符号の説明】
【００２８】
１  主幹ブレーカ
２  保護板
３  分岐ブレーカ
４  主幹バー
１０  筐体
１１  溝部
１２  プラグイン端子
１３  電流測定部
１４  基板
１５  腕部
１６  配線挿通部
１７  磁気検出素子
１８  保護ケース
１９  負荷側端子
２０  集積回路
２１  コネクタ
２２  機器取付板
２３  取付部材
２４  取付孔
２５  開口部
２６  コネクタ接続部
２７  電線
【図１】
2014026729.tif 000003
【図２】
2014026729.tif 000004
【図３】
2014026729.tif 000005
【図４】
2014026729.tif 000006
【図５】
2014026729.tif 000007
【図６】
2014026729.tif 000008
【図７】
2014026729.tif 000009
【図８】
2014026729.tif 000010
【図９】
2014026729.tif 000011
【図１０】
2014026729.tif 000012